(57)【要約】【課題】  軽量化した簡易な構造としたことで、施工性を向上させ、しかも建物外観の緑化デザインに自由度をもたせた。【解決手段】  緑化構造１は、建物の壁面や傾斜屋根などの設置面２に沿って延設されたワイヤー３と、ワイヤー３に案内されて移動可能に支持されていて固化された発泡体を主成分とする軽量材からなる培土基盤４と、培土基盤４に植栽された植物５とを備えている。培土基盤４をワイヤー３に沿った任意の位置で固定する係止部材６が設けられている。【選択図】      図１
2006345717.tif 000002
【特許請求の範囲】
【請求項１】
建物の壁面や傾斜屋根などの設置面に沿って延設された線状の案内支持部材と、
前記案内支持部材に案内されて移動可能に支持されていて軽量材からなる培土基盤と、
前記培土基盤に植栽された植物と、
を備えていることを特徴とする建物の緑化構造。
【請求項２】
前記培土基盤は、発泡体を主成分とした材料により形成されていることを特徴とする請求項１に記載の建物の緑化構造。
【請求項３】
前記培土基盤には、前記案内支持部材を挿通させる貫通孔が設けられていることを特徴とする請求項１又は２に記載の建物の緑化構造。
【請求項４】
前記培土基盤を前記案内支持部材に沿った任意の位置で固定する係止部材が設けられていることを特徴とする請求項１乃至３のいずれかに記載の建物の緑化構造。
【発明の詳細な説明】
【技術分野】
【０００１】
本発明は、壁面や傾斜屋根などを緑化する建物の緑化構造に関する。
【背景技術】
【０００２】
従来、都市部におけるヒートアイランド現象の緩和や大気の浄化、アメニティ空間の創出などを目的に、建物の壁面、傾斜屋根などの緑化が試みられている。
緑化構造として、壁面又は傾斜屋根などの設置面に植栽基盤を設置する構造が、例えば以下の特許文献１乃至特許文献３に開示されている。
特許文献１及び特許文献２は、枠体に土壌を組み込んで構成したユニット型の植栽基盤（以下、植栽ユニットとする）を、壁面又は傾斜屋根の設置面に、例えば棒状の鋼材からなるフレーム部材を縦横方向に組み合わせて設置しておき、このフレーム部材にコケやセダム等の植物を植栽させてなる植栽ユニットを取り付けている。
特許文献３は、屋上やベランダなどの上方に支持をとってワイヤーなどの支持部材を吊り下げ、この支持部材の所定位置に植栽ユニットを固定させる構造である。このような吊り下げによる植栽ユニットは、いわゆるプランターと同様に植物の植栽面を上向きにして、例えば蔓性植物が植栽され、支持部材に沿わせるように誘導させたり、又は植栽ユニットから垂下させたものである。
【特許文献１】特開２００４−１５０１３９号公報
【特許文献２】特開２００２−９５３４７号公報
【特許文献３】特開２００４−２４８５５０号公報
【発明の開示】
【発明が解決しようとする課題】
【０００３】
しかしながら、特許文献１及び特許文献２で提案されている植栽ユニットを壁面又は傾斜屋根に設置する緑化構造は、植栽ユニットがフレーム部材の所定位置で固定されているため、他の植栽ユニットに取り替えることが難しく、例えば商用の建物において他の植物に変更したい場合など、建物外観のイメージを自由に変更することが困難であり、緑化デザインの自由度が低いという欠点があった。
そして、植栽ユニットは、枠内全体にわたって土壌が敷き詰められていることから単体重量が大きくなっている。このため、フレーム部材は、植栽ユニットを壁面や傾斜屋根で支持させるため、その資材や固定状態を強固なものにする必要があり、資材コストが大きくなっている。さらに、予め設置面にフレーム部材を組み込んだ構造としておく必要があることから、施工が手間となりコストがかかる。
また、特許文献３は、設置面に固定したフレーム部材に蔓性植物を沿わせることで設置面を覆って緑化させるため、設置後に植物を移動させることが難しく、建物外観における緑化デザインの自由度が低いという問題があった。
【０００４】
本発明は、上述する問題点に鑑みてなされたもので、軽量化した簡易な構造としたことで、施工性を向上させ、しかも建物外観の緑化デザインに自由度をもたせた建物の緑化構造を提供することを目的とする。
【課題を解決するための手段】
【０００５】
上記目的を達成するため、本発明に係る建物の緑化構造では、建物の壁面や傾斜屋根などの設置面に沿って延設された線状の案内支持部材と、案内支持部材に案内されて移動可能に支持されていて軽量材からなる培土基盤と、培土基盤に植栽された植物とを備えていることを特徴としている。
本発明では、培土基盤を案内支持部材に案内させて移動させることができる。そして、培土基盤を設置した後で、案内支持部材が延設されている範囲で培土基盤の配置を変更することができる。さらに、例えば種類や色の異なる植物が植栽された培土基盤に取り替える場合や、メンテナンスなどを行う場合に、培土基盤を容易に取り外すことができる。
【０００６】
また、本発明に係る建物の緑化構造では、培土基盤は、発泡体を主成分とした材料により形成されていることが好ましい。
本発明では、例えば主成分をなす無機質発泡体に熱融着性を有する繊維材料を配合させて熱処理により固化させることで培土基盤を形成することができる。この繊維同士の接着と繊維及び無機質発泡体の接着とがなされて三次元の網状の補強構造が得られているため、軽量化を図れ、形状を保つことができる。したがって、このような材料からなる培土基盤を支持する案内支持部材を簡易な構造とすることができる。
【０００７】
また、本発明に係る建物の緑化構造では、培土基盤には、案内支持部材を挿通させる貫通孔が設けられていることが好ましい。
本発明では、培土基盤の貫通孔に案内支持部材を挿通させることで、培土基盤を設置面に配置することができる。
【０００８】
また、本発明に係る建物の緑化構造では、培土基盤を案内支持部材に沿った任意の位置で固定する係止部材が設けられていることが好ましい。
本発明では、係止部材によって、案内支持部材の延設範囲における任意の位置に培土基盤を固定することができる。また、係止部材を案内支持部材から取り外すことで、培土基盤は案内支持部材に沿って移動することができる。
【発明の効果】
【０００９】
本発明の建物の緑化構造によれば、培土基盤を設置した後で、案内支持部材が延設されている範囲で培土基盤の配置を変更することができ、また、例えば種類や色の異なる植物が植栽された培土基盤に取り替えることができる。したがって、建物外観における緑化デザインの自由度を高くすることができる。
また、培土基盤が軽量であるため、案内支持部材を軽量化させて構造を簡単化でき、資材コストの低減が図れる。そして、案内支持部材や培土基盤の設置作業を簡略化させることができるため、施工時間が短縮されて施工性を向上させることができる。
【発明を実施するための最良の形態】
【００１０】
以下、本発明の実施の形態による建物の緑化構造について、図１乃至図３に基づいて説明する。
図１は実施の形態による緑化構造を示す全体図、図２は培土基盤の構造を示す正面図、図３は図２に示す培土基盤のＡ−Ａ線断面図である。
【００１１】
図１に示すように、本実施の形態による緑化構造１は、建物における壁面や傾斜屋根などの設置面２に設置されている。
本緑化構造１は、設置面２に沿って延設されたワイヤー３（案内支持部材）と、ワイヤー３に案内されて移動可能に支持されていて発泡体を主成分とする培土基盤４と、培土基盤４に植栽された植物５とから概略構成されている。
本実施の形態では、設置面２において複数の培土基盤４がチェス盤状に上下左右に互い違いに配置されている。
なお、培土基盤４に植栽される植物５は、例えばコケやセダムなどのグランドカバー植物（下草）などが好ましい。
【００１２】
図１に示すように、ワイヤー３は、水平方向に延設され、高さ方向に一定間隔をもって複数設けられている。そして、ワイヤー３は、その両端をアンカーなどの取付け具（図示省略）によって設置面２に固定され、適度に緊張させた状態にしておく。なお、ワイヤー３の固定は、容易に取り外しできるようにしておく。そして、ワイヤー３の延設方向中間に固定箇所を設けないことで、培土基盤４の移動範囲を広くしておく。
【００１３】
図１及び図２に示す培土基盤４は、例えば、特開２００２−１１９１３０号公報に記載されている基材、即ち、パーライトなどの無機質発泡体に熱融着性繊維を配合させて熱処理により固化してなる基材を使用する。
このように固化された培土基盤４は、熱融着性を有する繊維同士の接着と繊維及び無機質発泡体の接着とがなされて三次元の網状の補強構造が得られているため、特別な枠材や袋などによって周囲を覆う必要がなく、その形状を保つことができる。このため、風などの影響により飛散することがない。さらに、培土基盤４の主成分をなす無機質発泡体の単位体積当り重量は、例えば０．５ｋｇ／リットル以下となるため、軽量で、適度な保水性能と排水性能を有している。
【００１４】
このような材質からなる培土基盤４は、図２及び図３に示すように、例えば略正方形で一定の厚さを有して箱状に形成されている。この培土基盤４の上部及び下部の二箇所には、対向する側面４ｂ、４ｂの間を貫通させる貫通孔４ａ、４ａが設けられている。そして、この貫通孔４ａ、４ａには、例えば針金などにより井桁状に組まれた網目を有するパイプ４１、４１が挿入されている。
また、培土基盤４の内部には、培土基盤４の構造を強化させるため、針金状の骨組部材４２が縦横方向に適宜数組み込まれている。
【００１５】
図２に示すように、培土基盤４には、ワイヤー３と共に貫通孔４ａに挿入された灌水管７が備えられている。この灌水管７に水を誘導し、パイプ４１を介して培土基盤４に水を供給することができる。
また、図２に示すように、培土基盤４には、略溝形をなし培土基盤４の下端部４ｃに嵌合される保水用トレー８が備えられている。この保水用トレー８により、水を保水させて、培土基盤４に水を供給することができる。
【００１６】
図１に示すように、ワイヤー３には、培土基盤４をワイヤー３に沿った任意の位置で固定する係止部材６が脱着可能に設けられている。この係止部材６は、培土基盤４の両側面４ｂ、４ｂに当接させるようにしてワイヤー３に係止させることで、培土基盤４の移動を規制することができる。
また、培土基盤４の設置後に、係止部材６を取り外すことで、培土基盤４をワイヤー３の延設範囲で移動させることができる。また、ワイヤー３の一端を設置面２から取り外して、培土基盤４をワイヤー３から引き抜き出すことができる。
【００１７】
上述した本実施の形態による建物の緑化構造では、図１に示すように、培土基盤４を設置した後で、ワイヤー３に案内される範囲で培土基盤４の配置を変更することができる。また、例えば種類や色の異なる植物５が植栽された培土基盤４に取り替える場合や、メンテナンスなどを行う場合に、培土基盤４を取り外すことができる。したがって、建物外観における緑化デザインの自由度を高くすることができる。
また、上述した本実施の形態による建物の緑化構造では、培土基盤４が軽量であるため、ワイヤー３を軽量化させて構造を簡単化でき、資材コストの低減が図れる。そして、ワイヤー３や培土基盤４の設置作業を簡略化でき、施工時間が短縮されて施工性を向上させることができる。
また、固化培土を使用することにより培土を入れる袋やパレット枠などが不要となり、これにより緑化構造１の構成を簡略化、軽量化させることができ且つ施工が容易となる。
さらに、本緑化構造１では、建物の設置面２の任意の範囲に植物５を設置して緑化させることにより、温度低減効果を奏し、都市のヒートアイランド現象の抑制に寄与することができる。
【００１８】
次に、本発明の変形例について、図４及び図５に基づいて説明するが、上述の実施の形態と同一又は同様な部材、部分には同一の符号を用いて説明を省略し、実施の形態と異なる構成について説明する。
図４（ａ）、（ｂ）、（ｃ）は実施の形態の変形例による緑化構造の設置工程を示す図、図５は変形例による培土基盤の固定部を示す斜視図である。
図４及び図５に示す変形例は、実施の形態で培土基盤４に形成されている貫通孔４ａ（図３参照）に代えて、断面視でＣ型をなし開口部９ａを有するワイヤー受け部９が形成されている。このワイヤー受け部９は、開口部９ａをワイヤー３の外径より大きく形成させて培土基盤４の周面に位置させている。そして、ワイヤー受け部９の内側９ｂにＣ型をなすワイヤー固定具１０を嵌合させ、さらにワイヤー固定具１０の内側にワイヤー３を通過させている。このとき、ワイヤー受け部９とワイヤー固定具１０との開口部９ａ、１０ａは、互いに位置がずれた状態で配置されている。
なお、培土基盤４とワイヤー３との取り付け方法としては、ワイヤー固定具１０をワイヤー受け部９の内周面に沿って回転させて両開口部９ａ、１０ａが一致したときにワイヤー３をワイヤー受け部９内に通す方法、又はワイヤー３をワイヤー受け部９の内側９ｂに通してから培土基盤４の側面４ｂ（図１参照）よりワイヤー固定具１０をワイヤー受け部９の内側９ｂに挿入させて固定する方法などがある。
上述した変形例による緑化構造１は、実施の形態の効果に加え、さらに設置および取替えが容易となるものである。
【００１９】
以上、本発明の実施の形態及び変形例による建物の緑化構造について説明したが、本発明は上記の実施の形態に限定されるものではなく、その趣旨を逸脱しない範囲で適宜変更可能である。
例えば、実施の形態及び変形例では設置面において複数の培土基盤４が互い違いにチェス盤状に配置されているが、必ずしもこのような配置に限定されることはない。例えば、培土基盤４を水平方向に隣り合わせで配置してもよく、設置面２における培土基盤４はワイヤー３が備えられている範囲で自由に配置すればよい。
また、実施の形態及び変形例では培土基盤４を、主成分をなす無機質発泡体に熱融着性繊維を配合させて固化させた培土基盤であるが、必ずしもこの材質に限定されることはない。要は、軽量であって、固化された状態において周囲を被覆させる必要がない培土であればよいのである。
また、実施の形態及び変形例では培土基盤４を略正方形の外形としているが、必ずしもこの形状に限定されることはない。例えば長方形や、その他多角形、円形などであってもよい。
さらに、実施の形態及び変形例では培土基盤４に灌水管７や保水用トレー８を設けているが、これら７、８を設けない培土基盤４であってもかまわない。
さらにまた、実施の形態では培土基盤４の上下部の２箇所に貫通孔４ａを設けているが、設ける位置は限定されず、例えば培土基盤４の中間の位置に設けることもできる。
【図面の簡単な説明】
【００２０】
【図１】本発明の実施の形態による緑化構造を示す全体図である。
【図２】培土基盤の構造を示す正面図である。
【図３】図２に示す培土基盤のＡ−Ａ線断面図である。
【図４】（ａ）、（ｂ）、（ｃ）は実施の形態の変形例による緑化構造の設置工程を示す図である。
【図５】変形例による培土基盤の固定部を示す斜視図である。
【符号の説明】
【００２１】
１  緑化構造
２  設置面
３  ワイヤー（案内支持部材）
４  培土基盤
４ａ  貫通孔
５  植物
６  係止部材
７  灌水管
８  保水用トレー
９  ワイヤー受け部
１０  ワイヤー固定具
【図１】
2006345717.tif 000003
【図２】
2006345717.tif 000004
【図３】
2006345717.tif 000005
【図４】
2006345717.tif 000006
【図５】
2006345717.tif 000007